(57)【要約】  シャーシ１０に対しＸ軸方向には移動できないがＹ軸方向には移動可能に設けられたディスク回転駆動部７と、前記シャーシ１０にＸ軸と平行に支持されたガイドレール１と、ガイドレール１に支持されて前記ディスク回転駆動部７によって回転駆動されるディスクの半径方向に往復移動する光ピックアップ２とを備え、前記ディスク回転駆動部７のロータ部７ａを当接させて該ディスク回転駆動部７の回転中心の位置決めを行う位置決め部８を前記光ピックアップ２に設けた構成であり、光ピックアップ２に対するディスク回転駆動部７の回転中心の取り付け位置調整を高精度に、かつ簡単に行うことができる。
2011089645.tif 000002
【特許請求の範囲】
【請求項１】
シャーシに対しＸ軸方向には移動できないがＹ軸方向には移動可能に設けられたディスク回転駆動部と、前記シャーシにＸ軸と平行に支持されたガイドレールと、ガイドレールに支持されて前記ディスク回転駆動部によって回転駆動されるディスクの半径方向に往復移動する光ピックアップとを備え、前記ディスク回転駆動部のロータ部を当接させて該ディスク回転駆動部の回転中心の位置決めを行う位置決め部を前記光ピックアップに設けたことを特徴とするディスク装置。
【請求項２】
位置決め部は、２箇所の頂点を通る円弧の中心と前記光ピックアップのレンズ中心を結ぶ直線が該光ピックアップの移動方向と平行となるＶ字状突設部であることを特徴とする請求項１記載のディスク装置。
【請求項３】
Ｖ字状突設部は、光ピックアップに一体形成したことを特徴とする請求項２記載のディスク装置。
【請求項４】
Ｖ字状突設部は、Ｖ字状突設形状をした部材を光ピックアップのレンズ位置に合わせて該光ピックアップに設けたことを特徴とする請求項２記載のディスク装置。
【発明の詳細な説明】
【技術分野】
【０００１】
この発明は、光ディスクなどの記録媒体への情報の記録または記録媒体に記録された情報の再生を行うディスク装置に関する。
【背景技術】
【０００２】
この種のディスク装置は、ディスクを載置したターンテーブルを回転させるディスク回転駆動部（例えば、スピンドルモータ）の回転中心の取り付け位置を、光ピックアップのレンズ位置に対して高精度に位置決めすることが必要である。【０００３】
従来はこの位置決めのために、光ピックアップをディスクの半径方向に移動させるガイドシャフトとディスク回転駆動部の回転中心の位置を規定寸法公差内に収まるように調整することが一般的であった。これは光ピックアップの再生能力を確保するための制約で、光ピックアップの仕様書等に寸法公差が規定されており、ガイドシャフトに対してディスク回転駆動部を移動させたり、ディスク回転駆動部に対してガイドシャフトを移動させて位置決めを行っている。このガイドシャフトを移動させる公知例としては特許文献１がある。
【先行技術文献】
【特許文献】
【０００４】
【特許文献１】特開平１１−２７３２７３号公報
【発明の概要】
【０００５】
上記のガイドシャフトとディスク回転駆動部の回転中心の位置を許容される寸法公差範囲内に調整するには、許容される寸法公差範囲が狭いため、位置決め、取付けを行うための設備が高精度である必要があり、設備の高額化、大型化を招いていた。
【０００６】
ガイドシャフトとディスク回転駆動部寸法に許容される公差範囲が狭い理由は、光ピックアップのレンズの位置精度を加味することに起因する。例えば光ピックアップの再生能力を確保するために許容されるディスク回転駆動部の回転中心と光ピックアップのレンズの位置ずれの許容差が±０．３ｍｍの場合、光ピックアップのレンズ位置精度（ガイドシャフトから光ピックアップのレンズまでの位置ばらつき）が±０．２ｍｍだったとすると、ガイドシャフトからディスク回転駆動部の回転中心は±０．１ｍｍ以内に収める必要があり、位置決め精度の高精度化が必要となっていた。
【０００７】
この発明は上記のような課題を解消するためになされたもので、従来ガイドシャフトからディスク回転駆動部の回転中心の位置を調整していたことから、光ピックアップに対しディスク回転駆動部の回転中心を調整する構成とし、この調整を高精度に、かつ、簡単に行うことができるようにしたディスク装置を提供することを目的とする。
【０００８】
この発明に係るディスク装置は、シャーシに対しＸ軸方向には移動できないがＹ軸方向には移動可能に設けられたディスク回転駆動部と、前記シャーシにＸ軸と平行に支持されたガイドレールと、ガイドレールに支持されて前記ディスク回転駆動部によって回転駆動されるディスクの半径方向に往復移動する光ピックアップとを備え、前記ディスク回転駆動部のロータ部を当接させて該ディスク回転駆動部の回転中心の位置決めを行う位置決め部を前記光ピックアップに設けたものである。
【０００９】
この発明に係るディスク装置によれば、ディスク回転駆動部のロータ部を光ピックアップの位置決め部に当接させて、光ピックアップに対しディスク回転駆動部の回転中心を調整するので、その調整を極めて簡単に、かつ、高精度に行うことができる。
【図面の簡単な説明】
【００１０】
【図１】この発明に係るディスク再生装置の要部の概要を示すもので、ディスク回転駆動部に対して光ピックアップの組み付け過程の上面図である。
【図２】この発明に係るディスク再生装置の要部の概要を示すもので、ディスク回転駆動部に対して光ピックアップの組み付けた状態を示す上面図である。
【図３】図２のａ−ａ線に沿う横断面図である。
【発明を実施するための形態】
【００１１】
以下、この発明の実施の形態を添付の図面に基づいて詳細に説明する。
実施の形態１．
図１において、２本のガイドシャフト１，１はシャーシ（再生ベース）１０に光ピックアップ２を支持する間隔を設けて平行に支持されている。光ピックアップ２はその両側部に設けた腕部２ａによってガイドシャフト１，１に往復動可能に支持されている。ネジ棒３はガイドシャフト１と平行に図示しない軸受部によりシャーシ１０に回転自在に支持され、このネジ棒３には光ピックアップ２の一方の腕部２ａに一体に形成されたネジ部２ｂが係合されており、このネジ部２ｂを介して光ピックアップ２に駆動力が伝達される。
【００１２】
光ピックアップ２はディスク回転駆動部７のロータ部７ａに対向する面に、ロータ部７ａを当接させてディスク回転駆動部７の回転中心の位置決めを行う位置決め部８が設けられている。この位置決め部８は、２箇所の頂点８ａ，８ａを通る円弧の中心と光ピックアップ２のレンズ中心を結ぶ直線が該光ピックアップの移動方向と平行となるＶ字状突設部である。
【００１３】
ディスク回転駆動部７はベースプレート４を介してシャーシ１０に固定され、このディスク回転駆動部７の回転軸７ｂにはターンテーブルが一体化されたロータ部７ａが取り付けられている。このターンテーブルに載置されたディスクはディスククランプ手段（図示せず）により紙面上面側より挟持されて回転する。このとき、ディスクのセンターホールがロータ部７ａに取り付けられたセンターコーン部７ｃに嵌合することにより、ディスク回転駆動部７の回転中心とディスクの中心が一致する。
ベースプレート４は対向二辺の縁に切り欠き凹部Ａ，Ｂを有し、シャーシ１０への組み付け時に切り欠き凹部Ａ，Ｂにシャーシ１０に設けた位置決め凸部６ａ，６ｂを係合させて位置決めした後、シャーシ１０に固定されるが、切り欠き凹部Ａ，ＢはＸ軸方向には移動できないがＹ軸方向には移動可能となっている。そこで、ベースプレート４をＹ軸方向には移動させて該ベースプレートをネジ締結等により固定することにより、ディスク回転駆動部７の回転中心と光ピックアップ２のレンズ中心を結ぶ直線が該光ピックアップの移動方向と一致する。
【００１４】
次に光ピックアップ２に対しディスク回転駆動部７を位置決めする順序について説明する。ディスク回転駆動部７を取り付けたベースプレート４の位置決め穴Ａ、Ｂをシャーシ１０の位置決め凸部６ａ，６ｂに係合させた状態で、光ピックアップ２をディスク回転駆動部７のロータ部７ａに当接する位置まで移動させる。このとき、位置決め部８であるＶ字状突設部の２箇所の頂点８ａ，８ａがロータ部７ａに当接する。
【００１５】
このＶ字状突設部は、２箇所の頂点８ａ，８ａを通る円弧の中心と光ピックアップ２のレンズ中心を結ぶ直線が該光ピックアップの移動方向と平行となるように形成されており、ディスク回転駆動部７を搭載したベースプレート４はＸ軸方向には移動できないがＹ軸方向には移動可能となっており、また、ディスク回転駆動部７のロータ部７ａは円弧形状であるため、２箇所の頂点８ａ，８ａに当接させるように、ベースプレート４をＹ軸方向に移動させる。この状態でベースプレート４をネジ締結等の方法でシャーシ１０に固定することにより、ディスク回転駆動部７の回転中心と光ピックアップのレンズ５の中心は光ピックアップ２の移動方向に一致する。
【００１６】
なお、光ピックアップ２のＶ字状突設部８の２箇所の頂点８ａ，８ａをディスク回転駆動部７のロータ部外面に当接させる位置は、光ピックアップ２によってディスクに対する再生／記録を行なう領域外であるから、ディスクに対する再生／記録には何ら支障がない。光ピックアップ２は、ディスクの半径方向（内周、外周方向）に移動して、所定の位置でディスク情報を読み取り、またはディスクへ情報の記録を行なう。
【００１７】
以上のようにこの実施の形態１によれば、シャーシに対しＸ軸方向には移動できないがＹ軸方向には移動可能に設けられたディスク回転駆動部と、前記シャーシにＸ軸と平行に支持されたガイドレールと、ガイドレールに支持されて前記ディスク回転駆動部によって回転駆動されるディスクの半径方向に往復移動する光ピックアップとを備え、前記ディスク回転駆動部のロータ部を当接させて該ディスク回転駆動部の回転中心の位置決めを行う位置決め部を前記光ピックアップに設けた構成であるから、光ピックアップに対するディスク回転駆動部の回転中心の取り付け位置調整を高精度に、かつ簡単に行うことができるという効果がある。
【００１８】
なお、この実施の形態１では光ピックアップ２にＶ字状突設部を設けているが、Ｖ字状突設形状をした部材を光ピックアップ２のレンズ位置に合わせて該光ピックアップ２に取付けても同様の効果を得ることができる。
また、ディスク回転駆動部７を取り付けたベースプレート４の対向二辺に位置決め穴Ａ、Ｂを形成したが、ディスク回転駆動部７を直接シャーシ１０に固定する場合は、ディスク回転駆動部７に直接位置決め穴Ａ，Ｂを形成してもよい。
【産業上の利用可能性】
【００１９】
ディスク装置における光ピックアップに対してディスク回転駆動部の回転中心の取り付け位置調整を高精度に行うのに有効である。
【図１】
2011089645.tif 000003
【図２】
2011089645.tif 000004
【図３】
2011089645.tif 000005
【国際調査報告】
2011089645.tif 000006
2011089645.tif 000007